(57)【要約】【課題】  通常の使用形態により電池接点において接触不良が生じるのを防止可能で、電池容量を無駄なく消費できるリモコン装置を提供する。【解決手段】  少なくとも、操作部と、電池収納部と、前記操作部及び電池収納部を覆うスライド式カバーと、を備えたリモコン装置において、前記スライド式カバーの裏面側に、該スライド式カバーの開閉動作に伴い前記電池収納部に配置された電池を回転させるための補助部材を設けるようにした。【選択図】  図４
2006086574.tif 000002
【特許請求の範囲】
【請求項１】
少なくとも、電源スイッチを含む電子機器の基本的な操作を行うための操作ボタンを配置された主操作部と、前記主操作部に配置された操作ボタンに比べて使用頻度の少ない操作ボタンを配置された副操作部と、電池収納部と、前記副操作部及び電池収納部を覆うスライド式カバーと、を備えたリモコン装置であって、
前記スライド式カバーの裏面側に、該スライド式カバーを開閉させるときにその一部が前記電池収納部に配置された電池表面と接触可能なゴム製の板状部材が設けられ、
前記スライド式カバーの開閉動作に伴い前記電池収納部に配置された電池と前記ゴム製の板状部材との間で発生する摩擦力により前記電池が回転することを特徴とするリモコン装置。
【請求項２】
少なくとも、操作部と、電池収納部と、前記操作部及び電池収納部を覆うスライド式カバーと、を備えたリモコン装置において、
前記スライド式カバーの裏面側に、該スライド式カバーの開閉動作に伴い前記電池収納部に配置された電池を回転させるための補助部材が設けられていることを特徴とするリモコン装置。
【請求項３】
前記補助部材は、前記電池収納部に配置された電池表面と接触可能なゴム製の板状部材で構成され、
前記スライド式カバーの開閉動作に伴い前記電池収納部に配置された電池と前記ゴム製の板状部材との間で発生する摩擦力により前記電池が回転することを特徴とする請求項２に記載のリモコン装置。
【請求項４】
前記ゴム製の板状部材は、前記スライド式カバーを開閉させるときにその一部が前記電池収納部に配置された電池表面と接触するように形成されていることを特徴とする請求項３に記載のリモコン装置。
【請求項５】
前記操作部は、電源スイッチを含む電子機器の基本的な操作を行うための操作ボタンを配置された主操作部と、前記主操作部に配置された操作ボタンに比べて使用頻度の少ない操作ボタンを配置された副操作部と、でなり、
前記スライド式カバーは、前記副操作部と前記電池収納部を覆うことを特徴とする請求項２から４の何れかに記載のリモコン装置。
【発明の詳細な説明】
【技術分野】
【０００１】
本発明は、電子・電気機器に使用されるリモコン装置に関し、特に、開閉自在なスライド式のカバー内に電池収納部を有するリモコン装置に関する。
【背景技術】
【０００２】
従来、一般に使用されているリモコン装置は、ほとんどが上側ケースと下側ケースを嵌合させて構成され、上側ケースに設けられた複数の開口部から操作ボタンが外部に臨むようにされている。そして、通常は、リモコン装置の内部に電池を収納可能に構成されており、この電池収納部はカバーによって閉塞されている。
【０００３】
また、操作手段として常時表面に露出されて操作可能な主操作部と、例えば、スライド式カバーによって通常は内部に収納されている副操作部とを備えたリモコン装置もある（例えば特許文献１）。このようなリモコン装置においては、副操作部の下部に電池収納部が設けられ、スライド式カバーを開閉することによって副操作部及び電池収納部を露出、収納させるようになっている。
【０００４】
図５は、従来のスライド式カバーを備えたリモコン装置２００を示す平面図である。図５に示すリモコン装置２００は、主操作部１１と、副操作部１２と、電池収納部１３と、を有する。
【０００５】
上側ケース１０は、略矩形状で四方に側壁を有し底部が開口された形状をしており、主操作部１１が設けられている部分（上半部）の長手方向の側壁には、その開口側の縁部に下側ケースと嵌合される板状のはめ込み部が垂設されている。また、副操作部１２及び電池格納部１３が設けられている部分（下半部）の長手方向の側壁にはガイドが設けられ、このガイドと上側カバー１０の主面端部によりスライド式カバー５０を摺動するための溝が形成される。
【０００６】
リモコン装置２００は、この上側ケース１０を、略矩形状で四方に側壁を有し上部が開口された下側ケース（図示略）に嵌合させ、さらにスライド式カバー５０のレール部を上記溝に沿って挿入させて構成される。
【０００７】
通常の使用状態においては、スライド式カバー５０は上側ケース１０の下半部に係合され、副操作部１２と電池収納部１３は内側に収納される。一方、副操作部使用時には、スライド式カバー５０は下方に摺動されて半開状態とされ、副操作部だけが露出される。また、電池交換時には、スライド式カバー５０は半開状態からさらに下方に摺動されて本体ケースから取り外される。
【特許文献１】特開２００１−２０８４０７号公報
【発明の開示】
【発明が解決しようとする課題】
【０００８】
ところで、一般にリモコン装置は電池を電源とするため、電池容量が減少し電池の寿命が近づくと、赤外線ＬＥＤ等による信号の送受信が正確に行われなくなる。しかし、信号の送受信が正確に行われなくなった場合でも、実際には操作に支障を来さない程度の電池容量が残っていることも少なくない。
【０００９】
つまり、端子や電池極の酸化や埃等により電池接点において接触不良が生じているために、信号の送受信に不具合が生じる場合もある。そのため、利用者はリモコン装置による信号送受信の感度が悪くなったときは、電池を取り外して電池極や端子を掃除してみたり、電池を回転させてみたりして、とりあえず電池接点の接触状態を変化させて再試行してみる。そして、このような行動により信号送受信の感度が改善されることも多い。
【００１０】
しかしながら、電池接点における接触不良が原因で信号送受信の感度が悪くなっていることは、上述したように電池接点の接触状態を変化させて信号送受信を再試行しなければわからないため、簡単な作業ではあるが利用者にとって面倒である。一方、信号送受信の感度が悪くなったからといってすぐに電池を交換するのは、無駄に電池容量を捨ててしまうことになりうる。
【００１１】
本発明は、通常の使用形態により電池接点において接触不良が生じるのを防止可能で、電池容量を無駄なく消費できるリモコン装置を提供することを目的とする。
【課題を解決するための手段】
【００１２】
本発明は、上記課題を解決するためになされたものであり、少なくとも、操作部と、電池収納部と、前記操作部及び電池収納部を覆うスライド式カバーと、を備えたリモコン装置において、前記スライド式カバーの裏面側に、該スライド式カバーの開閉動作に伴い前記電池収納部に配置された電池を回転させるための補助部材を設けるようにしたものである。
【００１３】
また、前記補助部材は、前記電池収納部に配置された電池表面と接触可能なゴム製の板状部材で構成され、前記スライド式カバーの開閉動作に伴い前記電池収納部に配置された電池と前記ゴム製の板状部材との間で発生する摩擦力により前記電池が回転するようにした。なお、前記補助部材はゴム製に限らず、電池収納部に配置された電池を回転可能な程度に摩擦力を発揮する材質で形成されればよい。
【００１４】
さらに、前記ゴム製の板状部材は、前記スライド式カバーを開閉させるときにその一部が前記電池収納部に配置された電池表面と接触するように形成されるようにした。これにより、操作部を操作するためにスライド式カバーの開閉動作を行うと、必ず電池は回転されることとなり電池接点の接触状態は改善される。
【００１５】
また、前記操作部は、電源スイッチを含む電子機器の基本的な操作を行うための操作ボタンを配置された主操作部と、前記主操作部に配置された操作ボタンに比べて使用頻度の少ない操作ボタンを配置された副操作部と、でなり、前記スライド式カバーは、前記副操作部と前記電池収納部を覆うようにした、例えばテレビジョン受像機用のリモコン装置等に適用できる。
【発明の効果】
【００１６】
本発明によれば、操作部と、電池収納部を備え、前記操作部及び電池収納部が一つのスライド式カバーにより内部に収納可能に構成されたリモコン装置において、前記スライド式カバーの内側に、スライド式カバーの開閉動作により前記電池収納部に配置された電池を回転させるための補助部材を設けるようにしたので、スライド式カバーにより収納された操作部を操作するときのスライド式カバーの開閉動作により、電池は電池収納部に収納されたまま回転されることとなる。したがって、期せずして電池接点は清浄化されるので、端子や電池極の酸化又は埃等により電池接点において接触不良が生じるのを防止することができる。
【００１７】
また、利用者は、リモコン装置の信号送受信の感度が悪くなったときに、わざわざ電池接点の接触状態を変化させて信号送受信を再試行し、電池容量が本当になくなっているのかを確認する必要はなくなる。つまり、本発明に係るリモコン装置においては、信号の送受信感度が悪くなった場合は電池接点の接触不良に起因するものではなく、電池容量の減少によるものと考えられるので、利用者はすぐに電池を交換すればよいことになる。
【発明を実施するための最良の形態】
【００１８】
以下、本発明の好適な実施の形態を図面に基づいて説明する。
【００１９】
図１は、テレビジョン受像機のリモコン装置１００の構造を示す平面図である。また、図２は（ａ）上側ケース１０の側面図及び（ｂ）下側ケースの側面図で、図３はスライド式カバー５０の裏面図である。
【００２０】
図１，２に示すように、リモコン装置１００は、電源ボタン、チャンネルボタン、音量ボタン等の基本的な操作を行うための操作ボタンが配置された主操作部１１と、通常の番組視聴には用いられない操作ボタンが配置された副操作部１２と、電池収納部１３と、前記副操作部１２及び電池収納部１３を覆うスライド式カバー５０と、を備えて構成される。また、本体の上部天面に赤外線ＬＥＤ（図示しない）等の送信部が配設されている。
【００２１】
上側ケース１０は略矩形状で四方に側壁を有し底部が開口されており、主操作部１１が設けられている部分（上半部）の長手方向の側壁１４には、その開口側の縁部に下側ケース３０と嵌合される板状のはめ込み部１５スライド式カバーの開閉動作に伴い前記電池収納部に配置された電池と前記ゴム製の板状部材との間で発生する摩擦力により前記電池が回転するが垂設されている。このインロー１５により上側ケース１０と下側ケース３０とを容易に位置決めして嵌合することができる。
【００２２】
一方、副操作部１５及び電池格納部１６が設けられている部分（下半部）の長手方向の側壁１８にはガイド１９が設けられ、このガイド１９と上側カバー１０の主面端部２１によりスライド式カバー５０を摺動するための溝２０が形成される。また、上半部に形成されたインロー１５と下半部の側壁１８の所定の位置には、下側ケース３０の側壁上部に設けられたフック状係止片（図示略）と係合可能なフック係合部１７が凹設されている。
【００２３】
リモコン装置１００は、この上側ケース１０を、略矩形状で四方に側壁を有し上部が開口された下側ケース３０に嵌合させ、さらにスライド式カバー５０のレール部を上記溝２０に沿って挿入させて構成される。
【００２４】
また、リモコン装置１００には、例えば２本の単四乾電池６０が横方向に配置され、この乾電池６０は配線基板に接続された金属製の板バネ等に当接され電源として使用される。
【００２５】
通常の使用状態においては、スライド式カバー５０は上側ケース１０の下半部に係合され、副操作部１２と電池収納部１３は内側に収納される。一方、副操作部使用時には、スライド式カバー５０は下方に摺動されて半開状態とされ、副操作部だけが露出される。また、電池交換時には、スライド式カバー５０は半開状態からさらに下方に摺動されて本体ケースから取り外される。
【００２６】
本実施形態では、図３に示すように、スライド式カバー５０の裏面の略上半部にゴム製の板状部材５１が貼着されている点が従来のリモコン装置２００（図５参照）と異なる。すなわち、本実施形態に係るリモコン装置１００は、副操作部１２及び電池収納部１３が一つのスライド式カバー５０により内部に収納可能に構成されており、スライド式カバー５０の裏面側に設けられたゴム製の板状部材５１はスライド式カバー５０の開閉動作により電池収納部１３に配置された乾電池６０を回転させるための補助部材として機能する。
【００２７】
この板状部材５１は、スライド式カバー５０の開閉動作に伴い乾電池６０を回転させるために、スライド式カバー５０を本体ケースに取り付けた状態で乾電池６０の表面と接触可能な厚さで、しかもスライド式カバー５０を閉状態としたときに副操作部１２に配設された操作ボタンと干渉しない厚さとされる。
【００２８】
また、ゴム製の板状部材５１は、スライド式カバー５０を開閉させるときに、その一部が乾電池６０の表面と当接するような大きさで形成されている。これにより、副操作部を操作するときにスライド式カバー５０を開閉させると、必ず乾電池６０は回転されることとなり、電池接点の接触状態は改善されることとなる。
【００２９】
さらに、上記板状部材５１を、スライド式カバー５０の摺動を妨げない程度に幅方向に大きく形成することで、板状部材５１と乾電池６０との接触面積をできるだけ大きくするのが望ましい。これにより、スライド式カバー５０の開閉動作に伴い乾電池６０とゴム製板状部材５１との間に発生する摩擦力が大きくなるため、乾電池６０が回転しやすくなる。
【００３０】
なお、スライド式カバー５０の裏面の略中央には、脱落防止用に板状の係止部材５２が垂設されており、この係止部材５２が上側ケース１０の最下端に設けられた係止片１６により係止されることで、スライド式カバー５０はそれ以上、下方に摺動不能となり、容易には脱落しないようになっている。
【００３１】
図４は、電池収納部１３の近傍の状態について示した断面図である。図４（ａ）はスライド式カバー５０を完全に閉めたときの状態（閉状態）で、図４（ｂ）はスライド式カバー５０を開けて副操作部１２だけを露出させたときの状態（半開状態）である。
【００３２】
図４（ａ）に示すように、通常の使用状態においては、スライド式カバー５０は上側ケース１０の下半部に係合され、副操作部１２と電池収納部１３は内部に収納される。この状態では、ゴム製板状部材５１の下端部が２本の乾電池６０と接触する。一方、図４（ｂ）に示すように、半開状態においては、ゴム製板状部材５１の上端部が乾電池６０と接触する。このように、本実施形態ではゴム製板状部材をスライド式カバー５０の摺動方向に長く設けているので、スライド式カバー５０を少しずらしただけでも乾電池６０は回転することとなる。
【００３３】
すなわち、スライド式カバー５０を閉状態から半開状態にすると乾電池６０は反時計回りに回転され、逆に半開状態から閉状態にすると乾電池６０は時計回りに回転される。このように、通常の利用形態におけるスライド式カバー５０の開閉動作に伴い乾電池６０は回転されるので、期せずして電池接点の接触状態は改善される。したがって、利用者は、リモコン装置の信号送受信の感度が悪くなったときに、わざわざ電池接点の接触状態を変化させて信号送受信を再試行する等して本当に電池容量がなくなったのかを確認する必要はなくなる。つまり、信号の送受信感度が悪くなった場合は電池接点の接触不良に起因するものではなく、電池容量の減少によるものと考えられるので、利用者はすぐに電池を交換すればよい。
【００３４】
なお、副操作部１２には使用頻度の低い操作ボタンが配置されることが多いが、この副操作部１２を全く使用しないということは考えられないので、上述した構成により電池接点の接触状態を改善することは十分に可能である。
【００３５】
以上、本発明者によってなされた発明を実施形態に基づいて具体的に説明したが、本発明は上記実施形態に限定されるものではなく、その要旨を逸脱しない範囲で変更可能である。
【００３６】
例えば、上記実施形態では、スライド式カバーの開閉動作に伴い電池を回転させる補助部材としてゴム製の板状部材を設けているが、ゴム製に限らず、電池を回転可能な程度に摩擦力を発揮する材質であれば同様の効果を得ることができる。
【００３７】
また、テレビジョン受像機のリモコン装置に限らず、その他の電気・電子機器のリモコン装置にも適用できる。例えば、エアコンのリモコン装置のように、操作ボタンのほとんどがスライド式カバーによって収納されている場合には、頻繁にスライド式カバーの開閉動作が行われるので特に効果が顕著である。
【図面の簡単な説明】
【００３８】
【図１】テレビジョン受像機のリモコン装置の構造を示す説明図である。
【図２】上側ケース及び下側ケースの側面図である。
【図３】スライド式カバーの裏面図である。
【図４】電池収納部近傍の断面図である。
【図５】従来のテレビジョン受像機のリモコン装置の構造を示す説明図である。
【符号の説明】
【００３９】
１０  上側ケース
１１  主操作部
１２  副操作部
１３  電池格納部
１４  長手方向側壁部（上半部）
１５  インロー（はめ込み部）
１６  係止片
１７  フック係合部
１８  長手方向側壁部（下半部）
１９  ガイド
２０  スライド式カバー摺動用溝
２１  上側カバー上端部
３０  下側ケース
５０  スライド式カバー
５１  ゴム製板状部材（補助部材）
５２  板状係止部材
【図１】
2006086574.tif 000003
【図２】
2006086574.tif 000004
【図３】
2006086574.tif 000005
【図４】
2006086574.tif 000006
【図５】
2006086574.tif 000007